(57)【特許請求の範囲】
【請求項１】
サーマルヘッドと、このサーマルヘッドが圧接可能なプラテンローラと、前記サーマルヘッド及び前記プラテンローラを支持するフレームとを備え、
前記プラテンローラは、前記フレームに回転自在に軸支可能な回転軸を有し、この回転軸は、前記フレームに形成した一対の側板の軸支部に軸支可能とし、前記軸支部は、一方側が開放された略Ｕ字状に形成され、前記一方側から前記軸支部に装着した前記回転軸を押圧して前記軸支部から抜け止め可能な係止部材を配設し、前記係止部材は、前記一方側に前記軸支部に装着した前記回転軸を押圧可能な押圧面を形成し、他方側に形成した回動支点を支点として回動可能とし、前記軸支部に前記回転軸を装着した状態で、前記Ｕ字状に開放された部分を閉じる方向に前記係止部材を回動操作すると、前記回転軸が前記押圧面に押圧されて前記軸支部に軸支され、前記係止部材の板厚は、前記側板の板厚と同等以下とし、前記側板の板厚範囲内に前記係止部材を配設したことを特徴とするサーマルプリンタ。
【請求項２】
前記係止部材により前記回転軸を前記軸支部に軸支した状態で、前記Ｕ字状に開放された部分を開く方向に前記係止部材を回動操作すると、前記回転軸の前記抜け止めが解除されると共に、前記プラテンローラが前記サーマルヘッドに押圧されて前記軸支部から排出可能としたことを特徴とする請求項１記載のサーマルプリンタ。
【発明の詳細な説明】
【０００１】
【発明の属する技術分野】
本発明はサーマルプリンタ係わり、特に感熱紙を発色させて感熱印刷することが可能なサーマルプリンタに関する。
【０００２】
【従来の技術】
従来提案されているサーマルプリンタは、図４の概略平面図に示すように、フレーム２１を有し、このフレーム２１の図示上下には、互いに対向する一対の側板２１ａが形成されている。
前記一対の側板２１ａ間には、円柱状のプラテンローラ２２が回転自在に軸支されている。
【０００３】
前記プラテンローラ２２は、図示上下方向に突出する回転軸２３を有し、この回転軸２３が軸受け２３ａを介して一対の側板２１ａに形成した軸支部２１ｂに軸支可能になっている。
前記軸支部２１ｂは、図５に示すように、側板２１ａの上部側が開放されて略Ｕ字状をなし、このＵ字状の軸支部２１ｂに回転軸２３を装着して軸支可能になっている。
また、プラテンローラ２２の図示左側には、サーマルヘッド２４を固着したヘッド取付台２５が配設され、このヘッド取付台２５がプラテンローラ２２側に弾性付勢されて、サーマルヘッド２４がプラテンローラ２２に圧接するようになっている。
前記一対の側板２１ａの外側（図示上下側）には、軸支部２１ｂに装着した回転軸２３を抜け止めするための係止部材２６、２６が配設されている。
【０００４】
前記係止部材２６は、図５に示すように、一方側に軸支部２１ｂに装着した回転軸２３を押圧して抜け止め可能な傾斜面２６ａが形成され、他方側が側板２１ａに取り付けた支持ピン２７に回動可能に支持されている。
そして、係止部材２６は、上方に弾性付勢されており、この弾性付勢により軸支部２１ｂに装着した回転軸２３が、傾斜面２６ａに押圧されて、軸支部２１ｂから抜け止めされるようになっている。
【０００５】
また、軸支部２１ｂに回転軸２３が抜け止めされたプラテンローラ２２は、外部からモータ等の回転が伝達されて、回転可能になっている。
そして、互いに圧接状態のプラテンローラ２２とサーマルヘッド２４との間に感熱紙（図示せず）を搬送し、サーマルヘッド２４の複数の発熱素子（図示せず）を発熱させることにより、感熱紙を発色させて、文字等の画像を印刷可能になっている。
【０００６】
【発明が解決しようとする課題】
しかし、前述したような従来のサーマルプリンタは、係止部材２６が側板２１ａの外側に配設されていたので、幅寸法Ａが大きくなり、最近の小型要求に満足できないという問題があった。
本発明は、前述した点に鑑みてなされたもので、プラテンローラを側板に軸支する係止部材の板厚を側板の板厚と同等以下とし、側板の板厚範囲内に係止部材を配設して、幅寸法を小さくしたサーマルプリンタを提供することを目的とする。
【０００７】
【課題を解決するための手段】
前記課題を解決するための第１の手段として本発明のサーマルプリンタは、サーマルヘッドと、このサーマルヘッドが圧接可能なプラテンローラと、前記サーマルヘッド及び前記プラテンローラを支持するフレームとを備え、前記プラテンローラは、前記フレームに回転自在に軸支可能な回転軸を有し、この回転軸は、前記フレームに形成した一対の側板の軸支部に軸支可能とし、前記軸支部は、一方側が開放された略Ｕ字状に形成され、前記一方側から前記軸支部に装着した前記回転軸を押圧して前記軸支部から抜け止め可能な係止部材を配設し、前記係止部材は、前記一方側に前記軸支部に装着した前記回転軸を押圧可能な押圧面を形成し、他方側に形成した回動支点を支点として回動可能とし、前記軸支部に前記回転軸を装着した状態で、前記Ｕ字状に開放された部分を閉じる方向に前記係止部材を回動操作すると、前記回転軸が前記押圧面に押圧されて前記軸支部に軸支され、前記係止部材の板厚は、前記側板の板厚と同等以下とし、前記側板の板厚範囲内に前記係止部材を配設した構成とした。
【０００９】
また、前記課題を解決するための第２の手段として、前記係止部材により前記回転軸を前記軸支部に軸支した状態で、前記Ｕ字状に開放された部分を開く方向に前記係止部材を回動操作すると、前記回転軸の前記抜け止めが解除されると共に、前記プラテンローラが前記サーマルヘッドに押圧されて前記軸支部から排出可能とした構成とした。
【００１０】
【発明の実施の形態】
以下、本発明のサーマルプリンタを、図１〜図３に基づいて説明する。図１は本発明のサーマルプリンタの平面図であり、図２は図１の側面図であり、図３は本発明に係わる係止部材の動作を説明するための概略図である。
【００１１】
まず、本発明のサーマルプリンタの一実施の形態を、図１に基づいて説明すると、樹脂材料等からなるフレーム１が配設され、このフレーム１は、一対の側板１ａ、１ａが互いに対向して形成されている。
【００１２】
前記一対の側板１ａ、１ａは、図２に示すように、後述する軸受け３ａを介して回転軸３を軸支可能な軸支部１ｂが形成されている。前記軸支部１ｂは、図示右側上方の一方側が開放されて、略Ｕ字状に形成されている。
このＵ字状に開放された部分の寸法は、寸法Ｂで形成されており、後述するプラテンローラ２の回転軸３が軸受け３ａを介して軸支可能になっている。
また、一対の側板１ａ、１ａ間の寸法は、それぞれの外面１ｃから外面１ｃまでが、寸法Ｃで形成されている。
【００１３】
また、一対の側板１ａ、１ａ間には、円柱状で外周部にゴム等の摩擦係数の大きな部材で形成された本体部２ａを有するプラテンローラ２が位置するようになっている。
そして、プラテンローラ２は、本体部２ａから図示上下方向の両端面から、長手方向に突出して回転軸３が形成されている。この回転軸３は、軸受け３ａを介して寸法ＢのＵ字状に開放された部分から軸支部１ｂに装着可能になっている。
そのために、プラテンローラ２は、軸支部１ｂから着脱可能になっている。
【００１４】
また、プラテンローラ２の図示左側には、プラテンローラ２に圧接可能なサーマルヘッド４が、ヘッド取付台５に固着されて配設されている。
前記ヘッド取付台５は、下方側がフレーム１の底板（図示せず）に支持されて、付勢部材（図示せず）で矢印Ｄの方向に弾性付勢されている。
このような矢印Ｄの方向にヘッド取付台５が弾性付勢されることにより、サーマルヘッド４がプラテンローラ２の外周部に、所定の圧接圧で圧接可能になっている。
【００１５】
また、図２に示すように、側板１ａに形成した寸法ＢのＵ字状に開放した部分を開閉可能な、形状が略Ｌ字状の係止部材６が配設されている。
前記係止部材６は、板厚寸法が側板１ａの板厚寸法と同等以下に形成され、側板１ａの板厚範囲内に係止部材６が配設されている。そのために、本発明のサーマルプリンタの幅寸法を、従来の幅寸法Ａより小さい寸法Ｃとすることができる。
また、係止部材６は、図示右側の一方側に、軸受け３ａを介して回転軸３を矢印Ｅ方向の軸支部１ｂに押圧可能な傾斜状の押圧面６ａが形成されている。
そのために、押圧面６ａにより、軸支部１ｂに軸支したプラテンローラ２が抜け止めされるようになっている。
【００１６】
また、係止部材６の図示左側の他方側には、丸穴状の回動支点６ｂが形成されている。この回動支点６ｂは、ヘッド取付台５の下方側に取り付けた支持ピン７に嵌合させて取り付けられている。
そして、支持ピン７に回動支点６ｂを支持した係止部材６は、下方側から矢印Ｆの付勢力が加えられて、押圧面６ａに矢印Ｅの押圧力が付加されるようになっている。
そのために、軸支部１ｂに軸支した回転軸３は、軸受け３ａを介して矢印Ｅの押圧力が加えられて、回転軸３が軸支部１ｂに抜け止めされて軸支されるようになっている。
また、この時の回転軸３は、軸支部１ｂに保持された軸受け３ａ内で回転自在となっている。そして、回転軸３は、外部からモータ等の駆動力が加えられると、サーマルヘッド４を矢印Ｄの付勢力で圧接した状態でも、回転可能になっている。
【００１７】
また、メンテナンス等で、軸支部１ｂからプラテンローラ２を取り出す場合は、図２に示す状態から、図３に示すように、係止部材６を軸支部１ｂのＵ字状に開放された部分を開く方向に回動させると、軸受け３ａを装着した回転軸３の抜け止めが解除される。
それと同時に、矢印Ｄの方向に付勢されるサーマルヘッド４に押圧されて、プラテンローラ２が軸支部１ｂから矢印Ｈ方向に排出できるようになっている。
即ち、係止部材６で、軸受け３ａを介して回転軸３を軸支部１ｂに軸支した状態で、Ｕ字状に開放された部分を開く方向（矢印Ｇ方向）に係止部材６を回動操作すると、軸受け３ａを介して回転軸３の抜け止めが解除されると共に、プラテンローラ２がサーマルヘッド４に押圧されて軸支部１ｂから排出可能となっている。
【００１８】
このような本発明のサーマルプリンタは、互いに圧接状態のプラテンローラ２とサーマルヘッド４との間に感熱紙（図示せず）を搬送し、サーマルヘッド２４の複数の発熱素子（図示せず）を、印刷情報に基づいて選択的に発熱させることにより、感熱紙を選択的に発色させて、文字等の画像を印刷可能になっている。また、一対の側板１ａのそれぞれの外面１ｃ側には、何も部品を取り付けることがないので、従来のサーマルプリンタの幅寸法Ａより小さい幅寸法Ｃとすることができ、小型化が可能となる。
【００１９】
また、本発明の実施の形態の説明において、係止部材６は、側板１ａの板厚と同等以下に形成されて、側板１ａの板厚範囲内に位置させたもので説明したが、係止部材６は、側板１ａの外面１ｃより内側に位置するように配設したものでも良い。
また、プラテンローラ２の回転軸３には、軸受け３ａを装着して、この軸受け３ａを介して回転軸３を軸支部１ｂに軸支するもので説明したが、回転軸３には軸受け３ａを装着しないで、回転軸３を直接軸支部１ｂに保持するようにしたものでも良い。
即ち、回転軸３は、フレーム１に形成した一対の側板１ａの軸支部１ｂに軸支可能としたものでも良い。
【００２０】
【発明の効果】
以上述べたように、本発明に係わる係止部材の板厚を、側板の板厚と同等以下とし、側板の板厚範囲内に係止部材を配設したので、係止部材が側板より外側にはみ出ることがなく、係止部材の厚さ分幅寸法を小さくできる。
【００２１】
また、軸支部に回転軸を装着した状態で、Ｕ字状に開放された部分を閉じる方向に係止部材を回動操作すると、回転軸が押圧面に押圧されて軸支部に軸支されるので、メンテナンス等を行う時に、プラテンローラの着脱が容易で作業性が良い。
【００２２】
また、係止部材で回転軸を軸支部から抜け止めした状態で、Ｕ字状に開放された部分を開く方向に係止部材を回動操作すると、回転軸の前記抜け止めが解除されると共に、プラテンローラがサーマルヘッドに押圧されて軸支部から排出可能としたので、更にプラテンローラの着脱が容易なサーマルプリンタを提供できる。
【図面の簡単な説明】
【図１】本発明のサーマルプリンタを説明する平面図である。
【図２】図１の側面図である。
【図３】本発明に係わる係止部材の操作を説明する概略図である。
【図４】従来のサーマルプリンタの平面図である。
【図５】図４の側面図である。
【符号の鋭明】
１  フレーム
１ａ  側板
１ｂ  軸支部
２  プラテンローラ
３  回転軸
４  サーマルヘッド
５  ヘッド取付板
６  係止部材
６ａ  押圧部
６ｂ  回動支点
７  支持ピン
【図１】
0003840402.tif 000002
【図２】
0003840402.tif 000003
【図３】
0003840402.tif 000004
【図４】
0003840402.tif 000005
【図５】
0003840402.tif 000006